(57)【特許請求の範囲】
【請求項１】
留具（１６）または接着剤によって結合された複数のページを有して成る個別セキュリティー・ドキュメントであって、
ベース・フィルム（２０）および該ベース・フィルム（２０）から離間した面に接着層（５６）を有して成り、セキュリティー要素を備えた装飾層配列（２２）を有して成る転写箔（１８）が前記留具（１６）または接着剤によって組み込まれており、
前記転写箔（１８）が前記セキュリティー・ドキュメントのページの少なくとも一部に転写可能に設けられていることを特徴とするドキュメント。
【請求項２】
セキュリティー要素を備えた前記転写箔（１８）のベース・フィルム（２０）が透明または不透明プラスチック材料から成ることを特徴とする請求項１記載のドキュメント。
【請求項３】
セキュリティー要素を備えた前記転写箔（１８）のベース・フィルム（２０）が紙または紙状の基材から成ることを特徴とする請求項１記載のドキュメント。
【請求項４】
セキュリティー要素を備えた前記装飾層配列（２２）が、永久接着剤（４０）によって前記ベース・フィルム（２０）に接合されている担体フィルム（３８）に剥離層（３６）を介して一時的に接合されていることを特徴とする請求項１または３記載のドキュメント。
【請求項５】
前記ベース・フィルム（２０）が少なくとも１つの窓開口部を有して成ることを特徴とする請求項３または４記載のドキュメント。
【請求項６】
前記装飾層配列（２２）が、前記ベース・フィルム（２０）に永続的に接合されている前記担体フィルム（３８）にラベル状に配されていることを特徴とする請求項４記載のドキュメント。
【請求項７】
前記装飾層配列（２２）が、前記ベース・フィルム（２０）に永続的に接合されている前記担体フィルム（３８）に積層されて成ることを特徴とする請求項４記載のドキュメント。
【請求項８】
前記装飾層配列（２２）が透明または部分的に透明であることを特徴とする請求項１〜７いずれか１項記載のドキュメント。
【請求項９】
前記ベース・フィルム（２０）および／または担体フィルム（３８）が、位置マーキングおよび／または番号および／またはバーコードを有して成ることを特徴とする請求項４記載のドキュメント。
【請求項１０】
少なくとも前記ベース・フィルム（２０）が、該ベース・フィルム（２０）または前記担体フィルム（３８）が永続的に接合されている前記ベース・フィルム（２０）を切り離すためのミシン目（２４）を有して成ることを特徴とする請求項４記載のドキュメント。
【請求項１１】
前記ミシン目（２４）がベース・フィルム（２０）にのみ施され、前記装飾層配列（２２）が前記ミシン目（２４）から横方向に離間して配されていることを特徴とする請求項１０記載のドキュメント。
【請求項１２】
前記ミシン目（２４）が前記ベース・フィルム（２０）および装飾層配列（２２）を貫通して延びていることを特徴とする請求項１０記載のドキュメント。
【請求項１３】
セキュリティー要素を備えた前記転写箔（１８）のミシン目（２４）が、前記留具（１６）または接着剤に沿って施され、セキュリティー要素を備えた前記転写箔（１８）が、前記留具（１６）または接着剤によって固定されていることを特徴とする請求項１０〜１２いずれか１項記載のドキュメント。
【請求項１４】
セキュリティー要素を備えた前記転写箔（１８）のミシン目（２４）が、前記留具（１６）または接着剤から横方向に離間して配され、ベース・フィルム・ストリップ（３４）が前記留具（１６）の両側に残るようにして、前記ミシン目によって画定される前記転写箔（１８）の端部領域が、前記留具（１６）または接着剤によって固定されていることを特徴とする請求項１０〜１２いずれか１項記載のドキュメント。
【請求項１５】
前記ベース・フィルム（２０）がセキュリティー機能を備えたセキュリティー・ペーパーを有して成ることを特徴とする請求項１４記載のドキュメント。
【請求項１６】
セキュリティー要素を備えた前記転写箔（１８）の表面寸法が１ページに対応していることを特徴とする請求項１〜１５いずれか１項記載のドキュメント。
【請求項１７】
セキュリティー要素を備えた前記転写箔（１８）の表面寸法が見開きページに対応していることを特徴とする請求項１〜１５いずれか１項記載のドキュメント。
【発明の詳細な説明】
【技術分野】
【０００１】
本発明は縫合、折畳み、または接着剤によって結合された複数のページから成るパスポート、運転免許証、公正証書、真正証明書、ライセンス証明書、預金通帳または銀行通帳等の個別セキュリティー・ドキュメントに関するものである。
【背景技術】
【０００２】
前記のようなセキュリティー・ドキュメントには特許文献１に記載されているような転写箔が用いられる。周知の転写箔は、ベース・フィルムの形状が安定しているため、複雑な機械や高額な費用を必要とせず、比較的簡単な装置によって処理することができる。周知の転写箔において、担体フィルムおよび装飾層配列を有して成るベース・フィルムを複数のラベル状の個別要素に分割することができる。この場合、個別要素を担体フィルム・ウェブに剥離可能に配することができる。
【０００３】
このようなセキュリティー要素を備えた個別素子または転写箔、およびパスポート、預金通帳または銀行通帳等の関連個別セキュリティー・ドキュメントの管理および処理はある程度複雑であり無視できない費用が伴う。またこのような処理および管理には間違いが起き得る。
【特許文献１】独国特許出願公開第１９９４０７９０号明細書
【発明の開示】
【発明が解決しようとする課題】
【０００４】
従って、本発明の目的は管理および処理を大幅に簡易化した本明細書の冒頭に述べたような個別セキュリティー・ドキュメントおよびセキュリティー要素を備えた転写箔を提供することである。
【課題を解決するための手段】
【０００５】
本発明によれば、前記目的は請求項１の機能によって達成される。また、従属請求項によって本発明の開発成果および好ましい実施の形態が明らかにされている。
【０００６】
本発明の個別セキュリティー・ドキュメントは、ベース・フィルムおよびセキュリティー要素を備えた装飾層配列を有して成る転写箔を備えている。セキュリティー要素を備えた転写箔は、接着剤、縫合、または鋲留めによって、セキュリティー・ドキュメントに組み込まれる。これにより転写箔または転写箔のセキュリティー要素がそれぞれのセキュリティー・ドキュメントの正確な位置に配される。セキュリティー要素を接着剤または粘着ストリップによってセキュリティー・ドキュメントに接着することもできる。これには仮接着剤または永久接着剤を用いることができる。セキュリティー・ドキュメントおよびセキュリティー要素を備えた転写箔の処理が大幅に簡略化され、特別な管理が事実上必要なくなるため特に有益である。セキュリティー・ドキュメントをセキュリティー要素を備えた転写箔に関連付ける別の有益な方法によって間違いが大幅に低減される。
【０００７】
本発明によれば、セキュリティー要素を備えた転写箔のベース・フィルムはプラスチック材料から成ることができる。このプラスチック材料は、不透明または透明プラスチック材料から成ることができる。ベース・フィルムが透明プラスチック材料から成る場合には、転写箔の配置が容易となり、また、例えば、データおよび証書番号等のチェックおよび比較が容易になるため有益である。
【０００８】
本発明によれば、セキュリティー要素を備えた転写箔のベース・フィルムは、紙または紙状の基材から成ることもできる。このような実施の形態において、ベース・フィルムは少なくとも１つの窓開口部を備えることができる。例えば、個別化の段階において、セキュリティー・ドキュメントの証書番号が窓開口部を通して見えるようにすることもできる。
【０００９】
ベース・フィルムが紙または透明プラスチック材料のいずれから成る場合においても、セキュリティー要素を備えた装飾層配列を永久接着剤によってベース・フィルムに接合されている担体フィルムに剥離層を介して一時的に接合することができる。ベース・フィルムが透明プラスチック材料から成る場合には、担体フィルムを任意に省略することもできる。
【００１０】
本発明によれば、セキュリティー要素を備えた装飾層配列をベース・フィルムまたはベース・フィルムに永続的に接合されている担体フィルムにラベルとして配することができる。別の方法において、ベース・フィルムまたはベース・フィルムに永続的に接合されている担体フィルムに装飾層配列が積層される。
【００１１】
セキュリティー要素はセキュリティー・ドキュメントの１ページ全体または部分を覆うことができる。例えば、署名領域またはＩＣチップ用のスペースを残しておくための穴または開口部を設けることができる。
【００１２】
装飾層配列のセキュリティー要素は、ホログラフ作用または光学回折効果をもたらす構造体を備えることができる。
【００１３】
本発明の個別セキュリティー・ドキュメントにおいて、装飾層配列を正確に配するための位置マーキングをベース・フィルムおよび／または担体フィルムに配することができる。同様に、番号、バーコード、統一商品コード等をベース・フィルムおよび／または担体フィルムに配することができる。
【００１４】
装飾層配列をセキュリティー・ドキュメントの関連ページに転写した後、ベース・フィルムまたは担体フィルムが永続的に接合されているベース・フィルムを短時間のうちに簡単に切り離すことができるようにするためベース・フィルムにミシン目を施しておくことが有効であることが立証されている。この点に関し単独の特許権保護を要請する。これに関連し、ベース・フィルムにのみミシン目を施し、装飾層配列をミシン目から横方向に離間して配するか、またはベース・フィルムおよび装飾層配列を貫通してミシン目を延伸することができる。
【００１５】
積層ステップの後、構造体、箔押し、突出隅部等を折り曲げることにより、装飾層と転写箔とから成る複合体の切離しを容易にすることができる。
【００１６】
本発明によれば、セキュリティー要素を備えた転写箔のミシン目をセキュリティー・ドキュメントの鋲留め、縫い目、または接着剤に沿って設けることができ、セキュリティー要素を備えた転写箔をセキュリティー・ドキュメントの鋲留め、縫合、または接着剤によって固定することができる。別の方法において、セキュリティー要素を備えた転写箔のミシン目が、セキュリティー・ドキュメントの鋲留め、縫い目、または接着剤から横方向に離間して配され、転写箔がセキュリティー・ドキュメントの関連ページに転写された後、ベース・フィルムがミシン目に沿ってセキュリティー・ドキュメントから剥離されるとき、ベース・フィルム・ストリップが鋲留め、縫い目、または接着剤の両側に残るようミシン目によって画定される転写箔の端部領域がセキュリティー・ドキュメントの鋲留め、縫合、または接着剤によって固定される。
【００１７】
このような構成において、任意として印刷を施したセキュリティー機能を有するセキュリティー・ペーパーをベース・フィルムに備えることができ、これによりセキュリティー・ドキュメントに残るベース・フィルム・ストリップにセキュリティー機能を持たせることができる。
【００１８】
任意として、個別化または個人化する段階において、転写箔に印刷を施すこともできる。
【００１９】
本発明によれば、セキュリティー要素を備えた転写箔の表面寸法をセキュリティー・ドキュメントの１ページに対応させることができる。しかし、セキュリティー要素を備えた転写箔の寸法をセキュリティー・ドキュメントの見開きページに対応させることもできる。
【００２０】
以下に説明し添付図面に示す、例えば、パスポート、預金通帳または銀行通帳のような本発明の個別セキュリティー・ドキュメントの実施の形態により、本発明の詳細、機能および効果が明確になる。
【発明を実施するための最良の形態】
【００２１】
図１は、例えば、パスポートのような個別セキュリティー・ドキュメント１０を開いた状態を示す概略図である。セキュリティー・ドキュメント１０は表紙１２および留具または鋲留め１６によって表紙１２に取り付けられている複数のページ１４を有している。鋲留め１６は縫い目またはステープルであってよい。ページ１４および表紙１２は周知の方法である接着剤によって結合することもできる。
【００２２】
セキュリティー要素を備えた転写箔１８が、鋲留めまたは縫い目１６によってセキュリティー・ドキュメント１０に組み込まれる。転写箔１８は、後で図７を参照して詳細に説明するベース・フィルム２０およびセキュリティー要素を備えた装飾層配列２２を備えている。このような転写箔は特許文献１にも開示されている。
【００２３】
熱を適切に作用させることによりベース・フィルム２０を剥離して、図１の破線で示す装飾層配列２２を転写した後、ベース・フィルム２０がセキュリティー・ドキュメント１０から切り離される。装飾層配列２２はセキュリティー・ドキュメント１０の対応するページの広い領域にわたり強固に付着して残る。装飾層配列２２は表紙１２にも取り付け可能であり、全体または部分的に覆うことができる。
【００２４】
図２は、表紙１２および留具１６によって表紙１２に取り付けられている複数のページ１４を有して成るセキュリティー・ドキュメント１０を示す図１と同様の概略図である。セキュリティー・ドキュメント１０には、ベース・フィルム２０および装飾層配列２２を備えた転写箔１８が組み込まれている。
【００２５】
転写箔１８にはミシン目２４が施されている。図５にも明示してあるように、ミシン目２４はベース・フィルム２０に施され、装飾層配列２２から横方向に離間している。図５においてこの横方向の間隔が符号２６で示してある。ミシン目２４はベース・フィルム２０の１つの端面２８から明確に離間し、端面２８と平行に延びている。図５においてこの間隔が符号３０で示してある。転写箔１８は、縫い目または留具１６がベース・フィルム２０の端面２８および縫い目２４によって画成されるベース・フィルム２０の端部３２（図５）の中央領域に沿って延びるようにしてセキュリティー・ドキュメント１０に組み込まれている。
【００２６】
装飾層配列２２をセキュリティー・ドキュメント１０の関連ページ１４に転写した後、各々のベース・フィルム・ストリップ３４（図２）が留具１６のそれぞれの側に残るようにして、転写時に装飾層配列２２から剥離されたベース・フィルム２０がミシン目２４に沿ってセキュリティー・ドキュメント１０から切り離される。ベース・フィルム・ストリップ３４にセキュリティー機能を持たせることができる。このような構成を採ることにより、セキュリティー・ドキュメント１０に組み込まれる転写箔１８のベース・フィルム２０がセキュリティー・ペーパーを成すことが好ましい。
【００２７】
図２は転写箔１８をセキュリティー・ドキュメント１０の縫合固定部１６から横方向に離間して配した構成を示す概略図である。これに対し、図３はセキュリティー・ドキュメント１０の縫い目１６とセキュリティー・ドキュメント１０に取り付ける転写箔１８のミシン目２４とが一致するようにした実施の形態を示している。装飾層配列２２をセキュリティー・ドキュメント１０の関連ページ１４に転写した後、ベース・フィルム２０がミシン目２４に沿ってセキュリティー・ドキュメント１０から完全に、即ち、留具１６の両側に何も残さずに切り離される。
【００２８】
図１〜３は、セキュリティー要素を備えた転写箔１８の表面寸法をセキュリティー・ドキュメント１０の１ページに対応させた個別セキュリティー・ドキュメント１０の実施の形態を示している。これに対し、図４はセキュリティー要素を備えた転写箔１８の表面寸法を個別セキュリティー・ドキュメント１０の見開きページに対応させた実施の形態を示す概略図である。
【００２９】
図１〜４において、同一要素には同一の参照符号が付してあり、個々の詳細についての再度の説明は省略する。
【００３０】
図６はベース・フィルム２０および装飾層配列２２に延びるミシン目２４を備えた転写箔１８の実施の形態を示す図５と同様の概略端面図である。
【００３１】
図７は、紙または透明プラスチック材料から成るベース・フィルム２０、および剥離層３６によって剥離可能に担体フィルム３８に取り付けられている装飾層配列２２を有して成る転写箔１８の実施の形態を示す実寸と異なる拡大断面図である。担体フィルム３８は永久接着剤４０によってベース・フィルム２０に永続的に取り付けられている。担体フィルム３８および装飾層配列２２、並びにその間に配されている剥離層３６によって所謂ホット・スタンピング・フィルム４２を構成している。
【００３２】
ベース・フィルム２０が透明プラスチック材料から成る場合には、担体フィルム３８を任意に省略することもできる。
【００３３】
装飾層配列２２は保護ラッカー層４４および複製ラッカー層４６を備えている。複製層４６はホログラフ作用または光学回折効果をもたらす構造体４８を備えている。構造体４８は高反射層５０を備え、セキュリティー要素を構成している。装飾層配列２２は、結合剤または第１接着層５２を更に備えている。結合剤または第１接着層５２はマーキング５４を備えている。マーキング５４を備えた結合剤または第１接着層５２は第２接着層５６によって覆われている。第２接着層５６表面の一部に印刷５８が施されている。
【００３４】
転写箔１８の各々の層の組成、層厚等の詳細については、ここに引用することにより本発明の公開の一部を構成する前記特許文献１を参照されたい。
【００３５】
転写箔１８は、例えば、以下の構成を成している。
【００３６】
ベース・フィルム２０：
ベース・フィルム２０は所謂ラベルとして知られている補強層であり、例えば、プラスチック・フィルムを使用することができる。しかし、シリコーン紙を用いることが好ましい。
【００３７】
永久接着剤４０：
永久接着剤４０は熱を加えて転写箔を基体に転写した場合でも、ベース・フィルム２０と担体フィルム３８との接合を確実に保証するものでなければならない。この条件は周知のアクリレート分散永久接着剤によって満足される。
【００３８】
担体フィルム３８：                               
ホット・スタンピングに一般的な担体フィルムが用いられる。この場合、表面の凹凸によって装飾層配列の透明性を阻害しない非常に滑らかな表面を有するプラスチック・フィルムを用いることが好ましい。多くの場合、担体フィルムとして使用されるのは、厚さ２０μｍのポリエステル・フィルムである。本発明においては、これより薄い担体フィルムを用いることができ、処理に当たっては担体フィルムがベース・フィルムによって補強される。
【００３９】
剥離層は一般に約０．０１〜０．２μｍの厚さで当該全表面領域に形成される。
【００４０】
保護ラッカー層４４：
保護ラッカー層４４も一般に全表面領域に形成される。具体的には０．５〜５．０μｍ、好ましくは１〜２μｍの厚さに形成される。
【００４１】
複製ラッカー層４６：
複製ラッカー層４６は当該全表面領域に形成することができるが、領域単位でも形成することができる。具体的には、例えば、ホログラフ作用または光学回折効果をもたらす構造体４８を領域単位で設けたい場合がこれに該当する。複製ラッカー層４６の層厚は０．０５〜１．５μｍである。
【００４２】
構造体４８：
構造体４８は、光学回折効果またはホログラフ作用をもたらす従来からＯＶＤと呼ばれている周知の構造体、例えば、光学特性が周波数、深さ、勾配等によって決まる格子構造体であってよい。構造体は一般にホット・スタンピング・フィルム４２の製造過程における複製処理により複製ラッカー層４６内に形成される。
【００４３】
高反射層５０：
高反射層５０の機能はホログラフ作用または光学回折効果をもたらす構造体４８の鮮明度を向上させることである。同時に、図７が示すように、層５０を通してマーキング５４および印刷５８が観察者に見えるようにする必要がある。
【００４４】
このことは、例えば、金属酸化物、金属硫化物、二酸化チタン等から成る厚さ１０〜５００ｎｍの高反射層を蒸着することによって達成できる。
【００４５】
接着層５２および５６
既に述べたように、同じ透明材料によって２つの層５２および５６を形成することができる。しかし、層５２は接着層５６と構造体４８の被膜５０との間に単なる結合剤層として設けることも考えられる。
【００４６】
図示の実施の形態においては、層圧が２〜１０μｍ、好ましくは３〜６μｍの２つの同様の接着層が全表面領域に設けられている。
【００４７】
マーキング５４：
マーキングは、第１接着層が形成された後、印刷によって形成された、例えば、特別な図形要素、所定の観察条件下においてのみ見えるテキスト等を含んでいることが好ましい。図示の実施の形態においては、マーキングはＵＶ光に反応する装飾ラッカーから成っている。
【００４８】
印刷５８：
既に述べたように、接着層５６の自由表面に形成される印刷５８は、周知の印刷プロセス、例えば、レーザー印刷、熱転写印刷等によって印刷される。印刷５８の代わりに、手書きで別のマーキングを設けることも理論的には可能である。しかし、転写箔が基体に定着すると共に、印刷粒子の少なくとも一部が熱によって基体に直接付着することが見込まれるためレーザー印刷または熱転写印刷が好ましい。この場合、装飾層配列を基体から取り外そうとしても、同定を目的とする印刷の少なくとも残留物が直接基体に付着しているため、形跡を残さずに装飾層配列を取り外すことはできない。
【００４９】
転写箔の特に好ましい実施の形態は、装飾層配列が透明であり、装飾層配列を基体に固定する接着層が、例えば、レーザー・プリンターまたは熱転写プリンターによって印刷されて成ることである。このような転写箔を用いる場合、例えば、接着層に印刷を施すことにより適切な個別化が可能である。例えば、個人データを含むパスポートのページを転写箔によって保護することが考えられる。この場合、転写箔の製造工場において適切な印刷プロセスによって、例えば、表面領域全体に設けられる装飾層配列の層と層との間に基本情報を盛り込む一方、転写箔を使用する前に、例えば、パスポート所有者の氏名、住所、誕生日、写真等の個人情報を適切なプリンターによって接着層に印刷する。このような個別化を図る印刷が終了した後、印刷を施した接着層を下にして転写箔をセキュリティー・ドキュメントのページに載置し、熱または場合により圧力の作用によって固定する。この実施の形態は、個別化を図るための情報項目が転写箔の装飾層配列によって覆われる、即ち、装飾層配列に損傷を与えずに情報項目を変更することはできないため有益である。装飾層配列をページから剥ぎ取り、個別化情報を改竄しようとしても、装飾層配列を破壊しない限り不可能である。また、転写箔の通常の処理条件により、接着層の印刷インクの少なくとも一部が直接基体にも付着しているため、一般に、個別化情報は当該ページから検出されるものと考えられる。
【００５０】
装飾層配列に着色または印刷を施すことができる。
【図面の簡単な説明】
【００５１】
【図１】セキュリティー・ドキュメントの第１の実施の形態の概略正面図。
【図２】セキュリティー・ドキュメントの第２の実施の形態を示す図１と同様の正面図。
【図３】セキュリティー・ドキュメントの第３の実施の形態を示す図１および２と同様の正面図。
【図４】セキュリティー・ドキュメントの第４の実施の形態を示す図１〜３と同様の正面図。
【図５】図２のセキュリティー・ドキュメントの転写箔の実施の形態を示す実寸と異なる概略図。
【図６】図１、２、または３のセキュリティー・ドキュメントの転写箔の別の実施の形態を示す図５と同様の概略図。
【図７】図５の転写箔のＶＩＩ部分の詳細を示す実寸と異なる拡大断面図
【符号の説明】
【００５２】
１０      セキュリティー・ドキュメント
１２      表紙
１４      複数のページ
１６      留具
１８      転写箔
２０      ベース・フィルム
２２      装飾層配列
２４      ミシン目
２８      端面
３２      端部領域
３４      ベース・フィルム・ストリップ
３６      剥離層
３８      担体フィルム
４０      永久接着剤
４２      ホット・スタンピング・フィルム
４４      保護ラッカー層
４６      複製ラッカー層
４８      構造体
５０      高反射層
５２      第１接着層
５４      マーキング
５６      第２接着層
５８      印刷